(57)【要約】【課題】通信中に確度の高い故障検出を行うことにより、操作者に迅速に故障を認知させ、通信中における通信不可となった原因の特定を容易にする移動無線通信装置を提供する。【解決手段】復号処理部１１は、入力されたデータに対し復号処理を施す。復号判定部１２は、復号処理が成功したか否かを判定する。テスト可否判定部１３１は、次の通信データが入力されるまでの時間を基に、故障診断テストを行えるか否かを判定する。テストデータ取得部１３２は、次の通信データが入力されるまでにテストが終了するサイズのテストデータを取得し、復号処理部１１に出力する。故障通知部１３４は、テストデータに対する復号処理において障害が発生したと復号判定部１２が判定した場合、故障の発生を通知する。【選択図】図２
2012015658.tif 000002
【特許請求の範囲】
【請求項１】
入力されたデータに対し復号処理を行う復号処理部と、
前記復号処理による前記データの復号処理が成功したか否かを判定する復号判定部と、
外部から入力された通信データに対する復号処理において、前記復号判定部により復号処理が失敗したと判定された場合に、次の通信データが入力されるまでの時間を基に、故障診断テストを行えるか否かを判定するテスト可否判定部と、
前記テスト可否判定部によりテスト可能と判定された場合に、次の通信データが入力されるまでにテストが終了するサイズのテストデータを取得し、前記復号処理部に出力するテストデータ取得部と、
前記復号判定部により前記テストデータに対する復号処理が失敗したと判定された場合、故障の発生を通知する故障通知部と
を備えたことを特徴とする移動無線通信装置。
【請求項２】
複数のサイズの前記テストデータを予め記憶しているテストデータ記憶部をさらに備え、
前記テストデータ取得部は、自装置が処理可能な最大サイズのデータの処理時間から外部から入力された通信データの処理時間及びテストに要する処理遅延時間を減算してテスト使用可能時間を求め、該テスト使用可能時間内でテストが実施できるサイズを有するデータを前記テストデータとして決定することを特徴とする請求項１に記載の移動無線通信装置。
【請求項３】
前記テストデータ取得部は、取得する前記テストデータの個数を予め記憶しており、記憶している個数の前記テストデータのテストが前記テスト使用可能時間内で実施できるように、各前記テストデータを決定することを特徴とする請求項２に記載の移動無線通信装置。
【請求項４】
前記復号処理部は、前記復号処理を行ったデータに対して前記復号判定部が誤りを検出した場合、前記復号処理の対象としたデータに対し再度復号処理を行い、
前記復号判定部は、前記復号処理部が復号処理を行ったデータにおける誤り検出を行い、誤りを検出した場合は、前記復号処理部が再度復号処理を行ったデータの誤り検出を行い、該判定を所定回数繰り返しても誤りが検出される場合に復号処理が失敗したと判定し、
前記故障通知部は、前記復号処理部による前記復号処理の繰り返し回数の閾値を予め記憶しており、前記テストデータに対する復号処理が成功したと前記復号判定部が判定するまでに要した前記復号処理の繰り返し回数を前記復号処理部から取得し、前記復号判定部により復号処理が失敗したと判定された場合に加えて、取得した前記繰り返し回数が前記閾値を超える場合に、故障の発生を通知する
ことを特徴とする請求項１乃至請求項３のいずれか一つに記載の移動無線通信装置。
【請求項５】
前記復号処理部、前記復号判定部、前記テスト可否判定部、前記テストデータ取得部及び前記故障通知部を有する復号処理系列を複数備え、
前記復号処理系列のうち故障の発生の通知を行った前記故障通知部を含む前記復号処理系列の処理を停止し、他の前記復号処理系例を用いて復号処理を行わせる制御部を備える
ことを特徴とする請求項１乃至請求項４のいずれか一つに記載の移動無線通信装置。
【請求項６】
外部から入力された通信データに対し復号処理を行う復号処理ステップと、
前記データの復号処理が成功したか否かを判定する判定する復号判定ステップと、
前記復号判定ステップにおいて、前記通信データに対する複合処理が失敗したと判定された場合に、次の通信データが入力されるまでの時間を基に、回路の故障検出のテストを行えるか否かを判定するテスト可否判定ステップと、
前記テスト可否判定ステップにおいてテスト可能と判定された場合に、次の通信データが入力されるまでにテストが終了するサイズのテストデータを取得するテストデータ取得ステップと、
前記テストデータに対し復号処理を施す復号処理テストステップと、
前記テストデータに対する復号処理が成功したか否かを判定する判定する復号判定テストステップと、
前記復号判定テストステップにおいて、前記テストデータに対する復号処理が失敗したと判定された場合、故障の発生を通知する故障通知ステップと
を備えたことを特徴とする通信回路診断方法。
【発明の詳細な説明】
【技術分野】
【０００１】
本発明は、移動無線通信装置及び通信回路診断方法に関する。
【背景技術】
【０００２】
移動無線通信装置では、実通信を行っている間を利用して故障検出を行うことが一般的である。しかし、実通信を行っている間に故障検出を行う方法では、通信時は故障検出の対象外である。そのため、通信中に回路故障が発生して、通信不可又は受信速度低下の状態になった場合、操作者は移動無線通信装置の故障を把握することはできなかった。
【０００３】
すなわち、移動無線通信装置が通信を行う間に通信不可となった場合、操作者は、その原因を特定することは困難であった。なぜなら、通信不可となる原因としては、移動無線通信装置の回路故障だけでなく、無線基地局からの伝播環境が厳しいため通信不可となっている場合など他の原因が考えられるからである。ここで、無線基地局からの伝播環境が厳しいとは、例えば、ＳＮＲ(Signal to Noise Ratio)が低下している状況などを指す。
【０００４】
従来、移動無線通信装置における通信中の故障検出として、データの復調を行う復調部が動作していないタイミングで、擬似受信波を用いてビットエラーレートを求め、回路の故障を検出する技術が提案されている。また、処理の空き時間を利用して点検用のデータを用いてマイクロプロセッサのバス結合部の故障診断を行う従来技術もある。
【先行技術文献】
【特許文献】
【０００５】
【特許文献１】特開２００８−３００９００号公報
【特許文献２】特開昭５８−２０３５３３号公報
【発明の概要】
【発明が解決しようとする課題】
【０００６】
しかし、復調後のデータでは十分なデータチェックが行えず、正確な故障検出ができないおそれがある。さらに、ビットエラーレートによる回路チェックは、エラーの割合に基づく故障検出であるため誤検出のおそれがある。
【０００７】
また、移動無線通信装置における故障は、マイクロプロセッサの故障に関連しない場合も多々あり、移動無線通信装置の故障検出にマイクロプロセッサのバス結合部の故障診断の技術をそのまま転用することは困難である。
【０００８】
開示の技術は、上記に鑑みてなされたものであって、通信中に確度の高い故障検出を行うことにより、操作者に迅速に故障を認知させ、通信中における通信不可となった原因の特定を容易にする移動無線通信装置及び通信回路診断方法を提供することを目的とする。
【課題を解決するための手段】
【０００９】
本願の開示する移動無線通信装置及び通信回路診断方法は、一つの態様において、復号処理部は、入力されたデータに対し復号処理を行う。また、復号判定部は、前記復号処理による前記データの復号処理が成功したか否かを判定する。そして、テスト可否判定部は、外部から入力された通信データに対する復号処理において、前記復号判定部により復号処理が失敗したと判定された場合に、次の通信データが入力されるまでの時間を基に、故障診断テストを行えるか否かを判定する。そして、テストデータ取得部は、前記テスト可否判定部によりテスト可能と判定された場合に、次の通信データが入力されるまでにテストが終了するサイズのテストデータを取得し、前記復号処理部に出力する。さらに、故障通知部は、前記復号判定部により前記テストデータに対する復号処理が失敗したと判定された場合、故障の発生を通知する。
【発明の効果】
【００１０】
本願の開示する移動無線通信装置及び通信回路診断方法の一つの態様によれば、通話中に操作者に迅速に故障を認知させ、通信中における通信不可となった原因の特定を容易にするという効果を奏する。
【図面の簡単な説明】
【００１１】
【図１】図１は、実施例１に係る移動無線通信装置を用いた通信システム全体のブロック図である。
【図２】図２は、実施例１に係る移動無線通信装置の詳細なブロック図である。
【図３】図３は、ＱＰＰインターリーバ使用時データサイズ表である。
【図４】図４は、復号処理における処理時間を説明するための図である。
【図５】図５は、実施例１に係る故障診断テストの処理を説明するための図である。
【図６】図６は、実施例１に係る移動無線通信装置におけるデータ処理のフローチャートである。
【図７】図７は、実施例１に係る移動無線通信装置における故障検出処理のフローチャートである。
【図８】図８は、実施例２に係る移動無線通信装置のブロック図である。
【図９】図９は、実施例２に係る故障診断テストの処理を説明するための図である。
【図１０】図１０は、実施例２に係る移動無線通信装置における故障検出処理のフローチャートである。
【図１１】図１１は、実施例３に係る移動無線通信装置のブロック図である。
【図１２】図１２は、実施例４に係る移動無線通信装置のブロック図である。
【発明を実施するための形態】
【００１２】
以下に、本願の開示する移動無線通信装置及び通信回路診断方法の実施例を図面に基づいて詳細に説明する。なお、以下の実施例により本願の開示する移動無線通信装置及び通信回路診断方法が限定されるものではない。
【実施例１】
【００１３】
図１は、実施例１に係る移動無線通信装置を用いた通信システム全体のブロック図である。また、図２は、実施例１に係る移動無線通信装置の詳細なブロック図である。図２には、図１における復号部１をより詳細に記載している。
【００１４】
図１に示すように、本実施例１に係る通信システムは移動無線通信装置１００及び無線基地局２００を備える。移動無線通信装置１００と無線基地局２００とは、それぞれ無線通信によりデータの送受信を行う。まず、図１を用いて、移動無線通信装置１００と無線基地局２００とのデータの送受信の概要を説明する。
【００１５】
移動無線通信装置１００は、復号部１、受信処理部２及び出力処理部３を備えている。また、無線基地局２００は、入力処理部２０１、符号部２０２及び送信処理部２０３を備えている。移動無線通信装置１００は例えば携帯電話などである。
【００１６】
入力処理部２０１は、データの入力を外部から受ける。入力処理部２０１は、入力されたデータに対して符号化単位に分けるなどの処理を行う。そして、入力処理部２０１は、データを符号部２０２へ出力する。
【００１７】
符号部２０２は、データの入力を入力処理部２０１から受ける。そして、符号部２０２は、データに対して符号化処理を行う。この符号部２０２は、例えばターボ符号器などである。具体的には、符号部２０２は、冗長符号（本実施例１では、ＣＲＣ（Cyclic redundancy check）を用いる）の付与、ブロック単位で分割（ターボセグメンテーション）及びインターリーブなどをおこなう。そして、符号部２０２は、符号化処理を行ったデータを送信処理部２０３へ出力する。ここで、本実施例に係る符号化においては、処理可能なデータの最大サイズが決められているものとする。
【００１８】
送信処理部２０３は、符号化処理が施されたデータの入力を符号部２０２から受ける。そして、送信処理部２０３は、データに対して変調などの処理を行う。そして、送信処理部２０３は、アンテナを介して移動無線通信装置１００にデータを送信する。
【００１９】
受信処理部２は、アンテナを介して無線基地局２００が送信したデータを受信する。そして、受信処理部２は、受信したデータに対して復調などの処理を施す。そして、受信処理部２は、処理を施したデータを復号部１へ出力する。
【００２０】
図２に示すように、復号部１は、復号処理部１１、復号判定部１２及び故障検出部１３を有している。さらに、故障検出部１３は、テスト可否判定部１３１、テストデータ取得部１３２、テストデータ記憶部１３３及び故障通知部１３４を有している。
【００２１】
復号処理部１１は、符号化処理が施されているデータの入力を受信処理部２から受ける。以下の説明では、受信処理部２から入力されたデータを「通信データ」と言うことがある。復号処理部１１は、通信データに対し復号処理を行う。そして、復号処理部１１は、復号処理を行った通信データを復号判定部１２へ出力する。
【００２２】
ここで、本実施例に係る符号化においては、処理可能なデータの最大符号化ブロックサイズ（以下では、「最大サイズ」と言う。）が決められている。そこで、復号処理部１１は、符号化された通信データを許容された処理時間内に復号する必要がある。そのため、復号処理部１１は、最大サイズを有するデータを復号化するのにかかる時間の間隔で通信データを受信する。この最大サイズを有するデータを復号するのにかかる時間を「フレーム間隔」と言うことがある。このように、最大サイズのデータを処理できる時間をフレーム間隔として確保しておけば、それ以下のサイズのデータであれば、復号処理部１１は、フレーム間隔の間に処理することができる。
【００２３】
図３は、ＱＰＰ(Quadratic Permutation Polynomial)インターリーバ使用時のデータサイズ表である。例えば、ＱＰＰインターリーバを使用するターボ復号器の場合、図３の表４００に示すように１８８種類の固定サイズが規定されている。そして、この場合、移動無線通信装置１００は、表４００における最大サイズの６１４４に合わせて、その６１４４のサイズを有するデータの処理にかかる時間をフレーム間隔とする。すなわち、復号処理部１１は、６１４４のサイズを有するデータの処理にかかる時間の間隔で受信処理部２からデータの入力を受ける。
【００２４】
また、復号処理部１１は、後述するテストデータ取得部１３２からテストデータの入力を受ける。復号処理部１１は、テストデータに対して復号処理を行う。そして、復号処理部１１は、復号処理を行ったテストデータを復号判定部１２へ出力する。
【００２５】
さらに、復号処理部１１は、後述する復号判定部１２から同じデータに対する再度の復号処理の指示を受けると、直前に復号処理の対象としたデータ又はテストデータに対し復号処理を再度行い、復号判定部１２へ出力する。
【００２６】
復号判定部１２は、メモリなどの記憶媒体を有している。そして、復号判定部１２は、誤り検出を行う繰り返し回数（「イタレーション回数」と言うことがある）の上限を予め記憶している。
【００２７】
復号判定部１２は、復号処理が施されたデータに対して誤り検出符号（ＣＲＣ、パリティ符号、チェックサム 等）を用いて誤り検出を行う。本実施例１ではＣＲＣを用いた誤り検出を行う。復号判定部１２は、復号処理が施された通信データに対して誤りが検出されない場合には、復号処理が成功したと判定し、復号処理が施された通信データを出力処理部３へ出力する。また、復号判定部１２は、復号処理が施された通信データに対して誤りが検出された場合には、出力処理部３に対するデータの出力は行わず、同じデータに対して再度復号処理を行うよう復号処理部１１に指示する。そして、復号判定部１２は、イタレーション回数の上限の回数の誤り検出を行っても復号処理が施された通信データに対する誤りが検出される場合には、復号処理が失敗したと判定する。ここで、復号処理が失敗したとは復号処理が正常に終了していないことを指す。
【００２８】
復号判定部１２は、復号処理において復号処理が失敗したと判定した場合、テスト可否判定部１３１に対して復号処理が正常に終了していないことを示す結果信号を出力する。
【００２９】
また、復号判定部１２は、復号処理が施されたテストデータに対して誤りが検出されない場合には、復号処理が成功したと判定し、テストを終了する。これに対して、復号判定部１２は、復号処理が施されたテストデータに対して誤りが検出された場合には、同じテストデータに対して再度復号処理を行うよう復号処理部１１に指示する。そして、復号判定部１２は、イタレーション回数の上限の回数の誤り検出を行っても復号処理が施されたテストデータに対する誤りが検出される場合には、テストデータの復号処理が失敗したと判定する。そして、復号判定部１２は、故障通知部１３４に復号処理が正常に終了していないことを示す結果信号を出力する。以下では、テストデータを用いた復号処理及びその復号処理を施されたテストデータの誤り検出による復号処理の成否の判定を「故障診断テスト」と言うことがある。また、以下では、データに対して復号処理を行いその復号処理を行ったデータの誤り検出を行い復号処理が失敗したと判定するまでにかかる時間を単に「データの処理時間」ということがある。
【００３０】
テスト可否判定部１３１は、メモリなどの記憶媒体を有している。そして、テスト可否判定部１３１は、自装置におけるフレーム間隔を予め記憶している。また、テスト可否判定部１３１は、テストデータの最小サイズを記憶している。さらに、テスト可否判定部１３１は、故障診断テストを実施するための処理にかかる時間（「処理遅延時間」と言うことがある。）を記憶しいている。ここで、処理遅延時間とは、具体的には回路初期化やテストデータの準備にかかる時間などである。さらに、テスト可否判定部１３１は、各サイズのデータに対するデータの処理時間を記憶している。
【００３１】
テスト可否判定部１３１は、復号判定部１２から復号処理の失敗の通知を受けると、復号処理部１１が復号したデータの復号処理前のサイズを受信処理部２から取得する。そして、テスト可否判定部１３１は、フレーム間隔から通信データの処理時間及び処理遅延時間を減算し、その値が最小サイズのテストデータの処理時間以上であれば、テスト可能と判定する。
【００３２】
テストデータ記憶部１３３は、メモリやハードディスクなどの記憶装置である。そして、テストデータ記憶部１３３は、サイズの異なる複数のテストデータを予め記憶している。
【００３３】
テストデータ取得部１３２は、メモリなどの記憶媒体を有している。そして、テストデータ取得部１３２は、テストデータ記憶部１３３に記憶されている各テストデータの処理時間を記憶している。
【００３４】
テストデータ取得部１３２は、テスト可能の通知をテスト可否判定部１３１から受ける。さらに、テストデータ取得部１３２は、フレーム間隔から通信データの処理時間及び処理遅延時間を減算した結果をテスト可否判定部１３１から受ける。以下では、フレーム間隔から通信データの処理時間及び処理遅延時間を減算した結果を「テスト使用可能時間」と言うことがある。
【００３５】
テストデータ取得部１３２は、テストデータ取得部１３２に記憶されているテストデータの中から、データの処理時間がテスト使用可能時間よりも短いテストデータのうちの最大のサイズのデータを故障診断テストに使用するテストデータとして決定する。そして、テストデータ取得部１３２は、決定したテストデータをテストデータ記憶部１３３から取得する。そして、テストデータ取得部１３２は、取得したテストデータを復号処理部１１へ出力する。
【００３６】
故障通知部１３４は、復号処理が正常に終了していないことを示す結果信号の入力を復号判定部１２から受けると、操作者に対して故障が発生した旨の通知を行う。本実施例では、故障通知部１３４は、携帯電話の画面などの表示部（不図示）に故障が発生した旨の情報を表示させる。ここで、故障通知部１３４による故障発生の通知方法は、操作者が認識できる用法であれば特に制限は無い。例えば、携帯電話であれば、音声出力部から音声で故障の発生を通知させてもよい。
【００３７】
出力処理部３は、復号処理が施された通信データの入力を復号判定部１２から受ける。そして、出力処理部３は、通信データに対して分割されたデータの統合などの処理を行う。そして、出力処理部３は、処理を施したデータを、文字データや音声データとして出力する。
【００３８】
ここで、図４を参照して、通信データに対する復号処理における処理時間を説明する。図４は、復号処理における処理時間を説明するための図である。図４は、紙面に向かって右方向に時間の経過を表している。
【００３９】
図４に示すように、復号処理部１１はフレーム間隔３０１ごとに通信データを受信する。このフレーム間隔３０１は、最大サイズのデータの処理時間３０２と一致する。復号処理部１１には、通信データは最大符号化ブロックサイズ以下のサイズのデータしか入力されない。したがって、フレーム間隔３０１を最大符号化ブロックサイズの処理時間３０２としておけば、復号処理部１１は、通信データの復号処理をフレーム間隔の間に行うことが可能となる。そして、フレーム間隔３０１から通信データの処理時間３０３を引いた時間が、次の通信データの入力を受けるまでの待ち時間３０４となる。次のデータの入力を受けるまでの待ち時間３０４の間、復号処理部１１は、通信データに対する復号処理を行わずに待機することになる。そこで、次のデータの入力を受けるまでの待ち時間３０４に、復号処理部１１における復号処理のテストを行うことができる。
【００４０】
次に、図５を参照して、時間経過に沿って実施例１に係る故障診断テストの処理を説明する。図５は、実施例１に係る故障診断テストの処理を説明するための図である。図５も図４と同様に紙面に向かって右方向に時間の経過を表している。
【００４１】
まず、フレーム間隔５０１では復号判定部１２で復号処理が成功したと判定されたものとする。すなわち、フレーム間隔５０１における通信データの処理時間５０３で処理された通信データに対しては、復号判定部１２により復号処理が正常に終了したと判定される。その場合、故障診断テストは行われないため、復号処理部１１及び復号判定部１２は、通信データの処理時間５０３の後は動作せず、次の通信データの入力まで待機する。
【００４２】
次に、フレーム間隔５０２では復号判定部１２で復号処理が失敗したと判定されたものとする。すなわち、フレーム間隔５０２における通信データの処理時間５０４で処理された通信データに対しては、復号判定部１２により復号処理が失敗したと判定される。その場合、テストデータ取得部１３２は、通信データの処理時間５０４及び処理遅延時間である遅延５０５をフレーム間隔５０２から引いたテスト使用可能時間内で処理できるサイズのデータをテストデータとして決定する。ここでは、テストデータ取得部１３２は、テスト使用可能時間を全て使って処理を行うサイズのデータをテストデータとして決定したものとする。すなわち、図５では、テスト使用可能時間とテストデータの処理時間５０６が一致している。そして、復号処理部１１及び復号判定部１２は、テストデータ取得部１３２が決定したテストデータを用いてテストを行う。図５では、復号処理部１１及び復号判定部１２は、テストデータの処理時間５０６を使用してテストデータの復号処理及び誤り検出を行うことで故障診断テストを行う。
【００４３】
次に、図６を参照して、実施例１に係る移動無線通信装置１００におけるデータ処理の流れについて説明する。図６は、実施例１に係る移動無線通信装置におけるデータ処理のフローチャートである。
【００４４】
復号処理部１１は、受信処理部２から入力された通信データに対して復号処理を行う（ステップＳ１０１）。
【００４５】
復号判定部１２は、復号処理部１１が復号処理を行ったデータに対してＣＲＣを用いた誤り検出であるＣＲＣ判定を行い、ＣＲＣ判定の結果がＯＫか否かを判定する（ステップＳ１０２）。誤りが検出されず、ＣＲＣ判定の結果がＯＫの場合（ステップＳ１０２肯定）、復号処理部１１は、次フレームの信号があるか否かを判定する（ステップＳ１０５）。そして、次フレームの信号がある場合（ステップＳ１０５肯定）、ステップＳ１０１に戻る。これに対して、次フレームの信号がない場合（ステップＳ１０５否定）、復号処理部１１は復号処理を終了する。
【００４６】
これに対して、復号判定部１２が誤りを検出し、ＣＲＣ判定の結果がＮＧの場合（ステップＳ１０２否定）、復号判定部１２は、規定のイタレーション回数が終了しているか否かを判定する（ステップＳ１０３）。規定のイタレーション回数が終了していない場合（ステップＳ１０３否定）、復号判定部１２は復号処理部１１に同じデータの復号処理を指示し、ステップＳ１０１へ戻る。これに対して、規定のイタレーション回数が終了している場合（ステップＳ１０３肯定）、故障検出部１３は故障検出を実行する（ステップＳ１０４）。故障検出の処理の流れの詳細については次に説明する。そして、復号処理部１１は、次フレームの信号があるか否かを判定する（ステップＳ１０５）。次フレームの信号がある場合（ステップＳ１０５肯定）、ステップＳ１０１に戻る。これに対して、次フレームの信号がない場合（ステップＳ１０５否定）、復号処理部１１は復号処理を終了する。
【００４７】
次に、図７を参照して、実施例１に係る移動無線通信装置における故障検出処理の流れを説明する。図７は、実施例１に係る移動無線通信装置における故障検出処理のフローチャートである。
【００４８】
テスト可否判定部１３１は、復号処理が正常に終了していないことを示す結果信号を復号判定部１２から受けて、故障診断テストによる故障検出が可能か否かを判定する（ステップＳ２０１）。故障検出が不可能な場合（ステップＳ２０１否定）、復号部１は故障検出処理を終了する。これに対して、故障検出が可能な場合（ステップＳ２０１肯定）、テストデータ取得部１３２は、通信データの処理時間及び処理遅延時間を最大サイズのデータの処理時間から減算してテスト使用可能時間を求める（ステップＳ２０２）。そして、テストデータ取得部１３２は、テストデータ記憶部１３３に記憶されているテストデータのうち、テスト使用可能時間内で処理できる最大サイズのテストデータを故障診断テストに使用するテストデータとして決定する。そして、テストデータ取得部１３２は、テストデータ記憶部１３３から故障診断テストに使用するテストデータとして決定したテストデータを取得する（ステップＳ２０３）。そして、復号処理部１１は、テストデータの入力をテストデータ取得部１３２から受ける（ステップＳ２０４）。そして、復号処理部１１は、テストデータに対し復号処理を行う（ステップＳ２０５）。
【００４９】
復号判定部１２は、復号処理が施されたテストデータに対してＣＲＣを用いた誤り検出であるＣＲＣ判定を行い、ＣＲＣ判定の結果がＯＫか否かを判定する（ステップＳ２０６）。誤りが検出されずＣＲＣ判定の結果がＯＫの場合（ステップＳ２０６肯定）、復号部１は誤り検出処理を終了する。これに対して、誤りが検出されＣＲＣ判定の結果がＮＧの場合（ステップＳ２０６否定）、復号判定部１２は、規定のイタレーション回数が終了しているか否かを判定する（ステップＳ２０７）。規定のイタレーション回数が終了していない場合（ステップＳ２０７否定）、復号判定部１２は復号処理部１１に同じテストデータの復号処理を指示し、ステップＳ２０５へ戻る。これに対して、規定のイタレーション回数が終了している場合（ステップＳ２０７肯定）、故障通知部１３４は、操作者に対して故障を通知する（ステップＳ２０８）。
【００５０】
以上に説明したように、実施例１では、ある通信データの復号処理が終了してから次の通信データが入力されるまでの待ち時間を利用して、復号処理回路の故障診断テストを行うことができる。これにより、通信中に移動無線通信装置に故障が発生した場合、操作者に迅速に故障の発生を通知することができる。したがって、通話中に操作者に迅速に故障を認知させ、通信中における通信不可となった原因の特定を容易にすることが可能となる。
【００５１】
ここで、本実施例１に係る符号化においては、処理可能なデータの最大サイズが決められているものとして、その最大サイズのデータの処理時間をフレーム間隔として説明した。この点、フレーム間隔が予め決められていれば、データの最大サイズが決められていなくても、通信データに対する復号処理が完了してから次の通信データが入力されるまでの時間は求められる。したがって、フレーム間隔が予め決められていれば、本実施例１に係る移動無線通信装置は動作可能である。
【００５２】
また、本実施例１では、復号判定部１２によって復号処理が失敗したと判定された場合にのみ故障診断テストを行っている。しかし、復号判定部１２によって復号処理が正常に終了したと判定された場合にも、故障診断テストを行っても良い。復号処理が正常終了と判定された場合にも故障診断テストを行うことで、実際には故障が発生しているにもかかわらず復号処理を繰り返すことで復号処理が正常終了したような場合にも、故障の検出を行うことが可能となる。
【００５３】
さらに、本実施例１では、テストデータ取得部１３２はテストデータ記憶部１３３が予め記憶しているテストデータを取得したが、データの生成が短時間で行えるならば、テストデータ取得部１３２においてテストデータを都度生成するようにしても良い。
【実施例２】
【００５４】
図８は、実施例２に係る移動無線通信装置のブロック図である。図８を参照して、実施例２に係る移動無線通信装置ついて説明する。実施例２は、複数個のテストデータを故障診断テストに用いることが、実施例１と異なるものである。そこで、以下では、テストデータの決定及び故障診断テストについて主に説明する。図８において図２と同じ符号を有する各部は特に説明のない限り同じ機能を有するものとする。
【００５５】
テストデータ取得部１３２は、故障診断テストに用いるテストデータの個数を予め記憶している。本実施例２では、テストデータ取得部１３２は、故障診断テストに２個のテストデータを用いると記憶している。ここで、この故障診断テストに用いるテストデータの個数は、操作者がユーザインタフェース（不図示）を用いて所望の個数を入力し、その入力された個数をテストデータ取得部１３２が記憶するようにしても良い。
【００５６】
そして、テストデータ取得部１３２は、テスト使用可能時間の入力をテスト可否判定部１３１から受ける。そして、テストデータ取得部１３２は、テスト使用可能時間内で記憶している個数のテストが実行できるように各テストデータを決定する。本実施例では２個のテストデータを用いるので、一方のテストデータを第１のテストデータ、他方のテストデータを第２のテストデータと呼ぶ。本実施例では、テストデータ取得部１３２は、なるべくサイズが近いテストデータを用いる。
【００５７】
例えば、図３に示すＱＰＰインターリーバを用いる場合、最大サイズのデータのサイズが６１４４である。そして、通信データのサイズが４０であったとする。また、処理遅延時間がサイズ２４のデータの処理時間以下の時間だとする。さらに、処理時間がデータサイズに比例すると考える。この場合、最大サイズである６１４４から通信データのサイズである４０と処理遅延時間に対応するサイズである２４とを減算した結果は、サイズが６０８０のデータの処理時間となる。すなわち、テスト使用可能時間内でサイズが６０８０のデータを処理することができる。ここで、テストデータ記憶部１３３に、図３に示される全てのサイズのテストデータが記憶されているものとする。この場合、テストデータ取得部１３２は、６０８０に最も近くなるサイズの近いデータの組み合わせをテストに使用するテストデータと決定する。具体的には、テストデータ取得部１３２は、図３におけるサイズが３００８のテストデータ及びサイズが３０７２のテストデータの組み合わせをテストに使用するテストデータの組み合わせとして決定する。ここで、３００８と３０７２との和は６０８０なので、決定したテストデータの組み合わせを用いたテストをテスト使用可能時間内に終えることができる。そして、テストデータ取得部１３２は、決定したサイズが３００８のテストデータ及びサイズが３０７２のテストデータをテストデータ記憶部１３３から取得する。すなわち、テストデータ取得部１３２は、第１のテストデータとしてサイズが３００８のテストデータを取得し、第２のテストデータとしてサイズが３０７２のテストデータを取得する。
【００５８】
テストデータ取得部１３２は、第１のテストデータを復号処理部１１に出力する。そして、第１のテストデータを用いた故障診断テストにおいて、復号判定部１２によって誤りが検出されなかった場合には、テストデータ取得部１３２は、次に第２のテストデータを復号処理部１１に出力する。
【００５９】
復号判定部１２は、復号処理部１１が復号処理を行った第１のテストデータの誤り検出を行う。そして、復号判定部１２は、第１のテストデータに対して規定のイタレーション回数の誤り検出を繰り返しても誤りが検出される場合には、復号処理が失敗したと判定する。そして、復号判定部１２は、復号処理が正常に終了していないことを示す結果信号を故障通知部１３４へ出力する。また、復号判定部１２は、第１のテストデータの誤り検出で誤りが検出されない場合には、テストデータ取得部１３２に、第１のテストデータの復号処理が正常に終了した旨を通知する。
【００６０】
また、復号判定部１２は、復号処理部１１が復号処理を行った第２のテストデータの誤り検出を行う。そして、復号判定部１２は、第２のテストデータに対して規定のイタレーション回数の誤り検出を繰り返しても誤りが検出される場合には、復号処理が発生したと判定する。そして、復号判定部１２は、復号処理が正常に終了していないことを示す結果信号を故障通知部１３４へ出力する。また、復号判定部１２は、第１のテストデータの誤り検出で誤りが検出されない場合には、故障診断テストを終了する。
【００６１】
図９は、実施例２に係る故障診断テストの処理を説明するための図である。次に、図９を参照して、時間経過に沿って実施例２に係る故障診断テストの処理を説明する。
【００６２】
テストデータ取得部１３２は、最大サイズのデータの処理時間であるフレーム間隔６０１から通信データの処理時間６０２及び遅延処理時間である遅延６０３を引いた値であるテスト使用可能時間の入力を受ける。そして、テストデータ取得部１３２は、テスト使用可能時間内でテストが行える第１のテストデータ及び第２のテストデータを決定する。
【００６３】
そして、復号判定部１２は、第１のテストデータの処理時間６０４の間に第１のテストデータを用いた故障診断テストを行い、復号処理が失敗したと判定した場合には故障通知部１３４にその旨を通知して故障判定を終了する。さらに、第１のテストデータにおいて誤りが検出されなかった場合には、復号判定部１２は、第２のテストデータの処理時間６０５の間に第２のテストデータを用いた故障診断テストを行う。このようにすることで、フレーム間隔６０１から通信データの処理時間６０２を引いた残りの時間の間に、所定の個数のテストデータを用いた故障診断テストを行うことができる。
【００６４】
次に、図１０を参照して、実施例２に係る移動無線通信装置における故障検出処理の流れを説明する。図１０は、実施例２に係る移動無線通信装置における故障検出処理のフローチャートである。
【００６５】
テスト可否判定部１３１は、復号処理が正常に終了していないことを示す結果信号を復号判定部１２から受けて、故障診断テストによる故障検出が可能か否かを判定する（ステップＳ３０１）。故障検出が不可能な場合（ステップＳ３０１否定）、復号部１は故障検出処理を終了する。これに対して、故障検出が可能な場合（ステップＳ３０１肯定）、テストデータ取得部１３２は、通信データの処理時間及び処理遅延時間を最大サイズのデータの処理時間から減算してテスト使用可能時間を求める（ステップＳ３０２）。そして、テストデータ取得部１３２は、テストデータ記憶部１３３に記憶されているテストデータのうち、大きさ近似し、且つその和がテスト使用可能時間内で処理できる最大サイズに最も近くなる２つのテストデータを求める。そして、テストデータ取得部１３２は、求めた２つのテストデータを故障診断テストに使用する第１テストデータ及び第２テストデータとして決定する。そして、テストデータ取得部１３２は、テストデータ記憶部１３３から故障診断テストに使用するテストデータとして決定した第１及び第２テストデータを取得する（ステップＳ３０３）。そして、復号処理部１１は、第１テストデータの入力をテストデータ取得部１３２から受ける（ステップＳ３０４）。そして、復号処理部１１は、第１テストデータに対し復号処理を行う（ステップＳ３０５）。
【００６６】
復号判定部１２は、復号処理が施された第１テストデータに対してＣＲＣを用いた誤り検出であるＣＲＣ判定を行い、ＣＲＣ判定の結果がＯＫか否かを判定する（ステップＳ３０６）。誤りが検出されＣＲＣ判定の結果がＮＧの場合（ステップＳ３０６否定）、復号判定部１２は、規定のイタレーション回数が終了しているか否かを判定する（ステップＳ３０７）。規定のイタレーション回数が終了していない場合（ステップＳ３０７否定）、復号判定部１２は復号処理部１１に同じ第１テストデータの復号処理を指示し、ステップＳ３０５へ戻る。これに対して、規定のイタレーション回数が終了している場合（ステップＳ３０７肯定）、故障通知部１３４は、操作者に対して故障を通知する（ステップＳ３１２）。
【００６７】
これに対して、誤りが検出されずＣＲＣ判定の結果がＯＫの場合（ステップＳ３０６肯定）、復号処理部１１は、第２テストデータの入力をテストデータ取得部１３２から受ける（ステップＳ３０８）。そして、復号処理部１１は、第２テストデータに対し復号処理を行う（ステップＳ３０９）。
【００６８】
復号判定部１２は、復号処理が施された第２テストデータに対してＣＲＣを用いた誤り検出であるＣＲＣ判定を行い、ＣＲＣ判定の結果がＯＫか否かを判定する（ステップＳ３１０）。誤りが検出されずＣＲＣ判定の結果がＯＫの場合（ステップＳ３１０肯定）、復号部１は誤り検出処理を終了する。これに対して、誤りが検出されＣＲＣ判定の結果がＮＧの場合（ステップＳ３１０否定）、復号判定部１２は、規定のイタレーション回数が終了しているか否かを判定する（ステップＳ３１１）。規定のイタレーション回数が終了していない場合（ステップＳ３１１否定）、復号判定部１２は復号処理部１１に同じ第２テストデータの復号処理を指示し、ステップＳ３０９へ戻る。これに対して、規定のイタレーション回数が終了している場合（ステップＳ３１１肯定）、故障通知部１３４は、操作者に対して故障を通知する（ステップＳ３１２）。
【００６９】
以上に説明したように、本実施例２に係る移動無線通信装置は、通信データの復号処理が終了してから次の通信データが入力されるまでの待ち時間を利用して、所定の個数のテストデータを用いた故障診断テストを行うことができる。これにより、複数回の故障診断テストが行えるため、より確度の高い故障検出を通話中に行うことが可能となる。これにより、より高い確度で通話中に故障の発生の通知を操作者に通知でき、通信中における通信不可となった原因の特定をより正確に行うことが可能となる。
【実施例３】
【００７０】
図１１は、実施例３に係る移動無線通信装置のブロック図である。図１１を参照して、実施例３に係る移動無線通信装置について説明する。実施例３に係る移動無線通信装置１００は、故障診断テストにおいてテストデータの誤り検出を所定回数以上繰り返した場合にも故障が発生したと判定することが、第１の実施例に係る移動無線通信装置と異なるものである。そこで、以下では、故障発生の判定について主に説明する。図１１において図２と同じ符号を有する各部は特に説明のない限り同じ機能を有するものとする。
【００７１】
復号処理部１１は、カウンタ（不図示）を有している。復号処理部１１は、テストデータ取得部１３２からテストデータの入力を受ける。そして、復号処理部１１は、テストデータに対して復号処理を行う。復号処理部１１は、復号処理を行うとカウンタをインクリメントする。そして、復号処理部１１は、復号処理を行ったテストデータを復号判定部１２に送信する。
【００７２】
そして、復号処理部１１は、同一のテストデータに対する再度の復号の指示を復号判定部１２から受けると、直前に復号処理の対象としたテストデータに対して再度復号処理を行う。そして、復号処理部１１は、同一のテストデータに対して復号処理を行う毎に、カウンタをインクリメントする。すなわち、復号処理部１１のカウンタでは、１つのテストデータに対して復号処理を行った回数が計測される。
【００７３】
そして、復号処理部１１は、誤りが検出されなかった旨の通知を復号判定部１２から受けると、カウンタにより計測した復号処理を行った回数を故障通知部１３４へ出力する。その後、復号処理部１１は、カウンタをリセットする。
【００７４】
復号判定部１２は、復号処理が施されたテストデータの入力を復号処理部１１から受ける。そして、復号判定部１２は、テストデータに対してＣＲＣ判定による誤り検出を行う。復号判定部１２は、テストデータに誤りが検出されると、同一のテストデータに対する再度の復号の指示を復号処理部１１へ出力する。そして、復号判定部１２は、規定のイタレーション回数に達してもテストデータに誤りが検出される場合には、復号処理が正常に終了していないことを示す結果信号を故障通知部１３４に出力する。また、復号判定部１２は、テストデータに誤りが検出されない場合には、テストデータの復号処理が正常に終了した旨の通知を復号処理部１１へ出力する。
【００７５】
故障通知部１３４は、メモリなどの記憶媒体を有している。そして、故障通知部１３４は、テストデータに対する復号処理の繰り返し回数の閾値を記憶している。
【００７６】
故障通知部１３４は、復号処理を行った回数の入力を復号処理部１１から受ける。そして、故障通知部１３４は、復号処理部１１から受信した復号処理を行った回数が、復号処理の繰り返し回数の閾値以上か否かを判定する。復号処理部１１が復号処理を行った回数が、復号処理の繰り返し回数の閾値以上の場合には、故障通知部１３４は、操作者に対して故障が発生した旨を通知する。
【００７７】
また、故障通知部１３４は、復号処理が正常に終了していないことを示す結果信の入力を復号判定部１２から受けると、操作者に対して故障が発生した旨を通知する。
【００７８】
以上に説明したように、本実施例３に係る移動無線通信装置では、テストデータの復号処理において所定回数繰り返した場合にも故障が通知される。この点、テストデータを用いた場合には、故障が発生していない場合に復号に要する繰り返し回数は決まっている。そこで、復号を繰り返えすことで、実際には故障しているにもかかわらず、テストデータに対する復号が成功したような場合にも、故障を検知することができる。これにより、より確度の高い故障診断が可能となる。
【実施例４】
【００７９】
図１２は、実施例４に係る移動無線通信装置のブロック図である。図１２を参照して、実施例４に係る移動無線通信装置について説明する。実施例４に係る移動無線通信装置１００は、復号処理を行う復号処理系列を複数有しており、一つの復号処理系列に故障が発生した場合に、その復号処理系列による復号処理を停止して、他の復号処理系列のみで復号処理を行うことが実施例１と異なる。そこで、以下では、故障が発生した復号処理系列における復号処理の停止及び他の復号処理系列による復号処理について主に説明する。図１２において図２と同じ符号を持つ各部は同じ機能を有するものとする。
【００８０】
図１２に示すように、移動無線通信装置１００は、復号部１及び受信処理部２を含む復号処理系列７０１、並びに復号部１及び受信処理部２を含む復号処理系列７０２を有している。ここで、本実施例４では、説明を分かりやすくするために復号処理系列を２つとしたが、この数には特に制限はない。さらに、移動無線通信装置１００は、制御部４を備えている。
【００８１】
本実施例４に係る移動無線通信装置１００は、例えばMIMO(Multiple-Input Multiple-Output)通信を行っている。ここで、複数の復号処理系列による具体的なデータの処理を説明する。例えば、無線基地局の複数のアンテナから送信された分離された信号を、復号処理系列７０１及び復号処理系列７０２がそれぞれのアンテナで受ける。そして、復号処理系列７０１及び復号処理系列７０２で復号処理を施された信号を出力処理部３で統合し、データを取得する。
【００８２】
そして、データの処理において、復号処理系列７０１及び復号処理系列７０２は、実施例１と同様に復号処理の成否の判定を行う。そして、復号処理系列７０１又は復号処理系列７０２における復号判定部１２により復号処理が失敗したと判定された場合、故障通知部１３４は、操作者に故障が発生した旨を通知するともに、故障が発生した復号処理系列の情報を制御部４に出力する。ここでは、復号処理系列７０１において故障が発生したとする。この場合、復号処理系列７０１の故障通知部１３４が、故障が発生した復号処理系列として復号処理系列７０１の情報を制御部４へ出力する。
【００８３】
制御部４は、故障が発生した復号処理系列７０１の故障通知部１３４から、故障が発生した復号処理系列として復号処理系列７０１の情報を取得する。そして、制御部４は、復号処理系列７０１によるデータ処理の動作を停止する。さらに、制御部４は、出力処理部３に対して、復号処理系列７０２からのデータのみによる処理を行うよう指示する。ここで、本実施例４では２つの復号処理系列しか有していないため、復号処理系列７０２のみにより通信データの処理が行われることになり、この場合はSISO(Single-Input Single-Output)通信となる。これに対して、復号処理系列が３つ以上ある場合には、１つの復号処理系列に故障が発生し、その復号処理系列の動作が停止されたとしても、MIMO通信が継続することになる。
【００８４】
出力処理部３は、故障発生以前は復号処理系列７０１及び復号処理系列７０２から入力されたデータを統合して、１つのデータを取得する。そして、出力処理部３は、取得したデータを出力する。
【００８５】
また、出力処理部３は、復号処理系列７０１に故障が発生すると、復号処理系列７０２のみによるデータ処理を行う指示を制御部４から受ける。その後、出力処理部３は、復号処理系列７０２から入力されたデータに対して出力処理を施す。そして、出力処理部３は、出力処理を施したデータを文字データや音声データとして出力する。
【００８６】
以上に説明したように、本実施例４に係る移動無線通信装置は、複数の復号処理系列を有し、一つの復号処理系列に故障が発生した場合、故障が発生した復号処理系列におけるデータ処理を停止させ、残りの復号処理系列のみでデータ処理を行うことができる。これにより、故障が発生した復号処理系列を除いた正常な復号処理系列のみによる運用が行え、故障による通信不可や受信速度低下状態を回避でき、正常な通信を継続することが可能である。また、従来は故障が発生した復号処理系列が動作し続けるため、故障が発生した復号処理系列が動作することにより無駄な電力消費が発生していた。これに対し、本実施例４によれば、故障が発生した復号処理系統の動作を停止させるため、従来に比べて消費電力を抑えることが可能となる。
【００８７】
以上の各実施例を含む実施形態に関し、さらに以下の付記を開示する。
【００８８】
（付記１）入力されたデータに対し復号処理を行う復号処理部と、
前記復号処理による前記データの復号処理が成功したか否かを判定する復号判定部と、
外部から入力された通信データに対する復号処理において、前記復号判定部により復号処理が失敗したと判定された場合に、次の通信データが入力されるまでの時間を基に、故障診断テストを行えるか否かを判定するテスト可否判定部と、
前記テスト可否判定部によりテスト可能と判定された場合に、次の通信データが入力されるまでにテストが終了するサイズのテストデータを取得し、前記復号処理部に出力するテストデータ取得部と、
前記復号判定部により前記テストデータに対する復号処理が失敗したと判定された場合、故障の発生を通知する故障通知部と
を備えたことを特徴とする移動無線通信装置。
【００８９】
（付記２）複数のサイズの前記テストデータを予め記憶しているテストデータ記憶部をさらに備え、
前記テストデータ取得部は、自装置が処理可能なデータの最大サイズ及び外部から入力された通信データのサイズに応じて、前記テストデータのサイズを決定し、決定したサイズの前記テストデータを前記テストデータ記憶部から取得することを特徴とする付記１に記載の移動無線通信装置。
【００９０】
（付記３）複数のサイズの前記テストデータを予め記憶しているテストデータ記憶部をさらに備え、
前記テストデータ取得部は、自装置が処理可能な最大サイズのデータの処理時間から外部から入力された通信データの処理時間及びテストに要する処理遅延時間を減算してテスト使用可能時間を求め、該テスト使用可能時間内でテストが実施できるサイズを有するデータを前記テストデータとして決定することを特徴とする付記２に記載の移動無線通信装置。
【００９１】
（付記４）前記テストデータ取得部は、前記テスト使用可能時間内でテストが実施できるデータのうち最大のサイズを有するデータを前記テストデータとして決定することを特徴とする付記３に記載の移動無線通信装置。
【００９２】
（付記５）前記テストデータ取得部は、取得する前記テストデータの個数を予め記憶しており、記憶している個数の前記テストデータのテストが前記テスト使用可能時間内で実施できるように、各前記テストデータを決定することを特徴とする付記３に記載の移動無線通信装置。
【００９３】
（付記６）前記復号処理部は、前記復号処理を行ったデータに対して前記復号判定部が誤りを検出した場合、前記復号処理の対象としたデータに対し再度復号処理を行い、
前記復号判定部は、前記復号処理部が復号処理を行ったデータにおける誤り検出を行い、誤りを検出した場合は、前記復号処理部が再度復号処理を行ったデータの誤り検出を行い、該判定を所定回数繰り返しても誤りが検出される場合に復号処理が失敗したと判定し、
前記故障通知部は、前記復号処理部による前記復号処理の繰り返し回数の閾値を予め記憶しており、前記テストデータに対する復号処理が成功したと前記復号判定部が判定するまでに要した前記復号処理の繰り返し回数を前記復号処理部から取得し、前記復号判定部により復号処理が失敗したと判定された場合に加えて、取得した前記繰り返し回数が前記閾値を超える場合に、故障の発生を通知する
ことを特徴とする付記１乃至付記５のいずれか一つに記載の移動無線通信装置。
【００９４】
（付記７）前記復号処理部、前記復号判定部、前記テスト可否判定部、前記テストデータ取得部及び前記故障通知部を有する復号処理系列を複数備え、
前記復号処理系列のうち故障の発生の通知を行った前記故障通知部を含む前記復号処理系列の処理を停止し、他の前記復号処理系例を用いて復号処理を行わせる制御部を備える
ことを特徴とする付記１乃至付記６のいずれか一つに記載の移動無線通信装置。
【００９５】
（付記８）外部から入力された通信データに対し復号処理を行う復号処理ステップと、
前記データの復号処理が成功したか否かを判定する判定する復号判定ステップと、
前記復号判定ステップにおいて、前記通信データに対する複合処理が失敗したと判定された場合に、次の通信データが入力されるまでの時間を基に、回路の故障検出のテストを行えるか否かを判定するテスト可否判定ステップと、
前記テスト可否判定ステップにおいてテスト可能と判定された場合に、次の通信データが入力されるまでにテストが終了するサイズのテストデータを取得するテストデータ取得ステップと、
前記テストデータに対し復号処理を施す復号処理テストステップと、
前記テストデータに対する復号処理が成功したか否かを判定する判定する復号判定テストステップと、
前記復号判定テストステップにおいて、前記テストデータに対する復号処理が失敗したと判定された場合、故障の発生を通知する故障通知ステップと
を備えたことを特徴とする通信回路診断方法。
【符号の説明】
【００９６】
１  復号部
２  受信処理部
３  出力処理部
４  制御部
１１  復号処理部
１２  復号判定部
１３  故障検出部
１００  移動無線通信装置
１３１  テスト可否判定部
１３２  テストデータ取得部
１３３  テストデータ記憶部
１３４  故障通知部
２００  無線基地局
２０１  入力処理部
２０２  符号部
２０３  送信処理部
【図１】
2012015658.tif 000003
【図２】
2012015658.tif 000004
【図３】
2012015658.tif 000005
【図４】
2012015658.tif 000006
【図５】
2012015658.tif 000007
【図６】
2012015658.tif 000008
【図７】
2012015658.tif 000009
【図８】
2012015658.tif 000010
【図９】
2012015658.tif 000011
【図１０】
2012015658.tif 000012
【図１１】
2012015658.tif 000013
【図１２】
2012015658.tif 000014